(57)【特許請求の範囲】
【請求項１】
第１の周期性を有するリソース分割情報（ＲＰＩ）を決定することと、前記ＲＰＩは、サービングノードＢと１又は複数の非サービングノードＢとの間のリソースの協調分割に起因して保護され、ユーザ機器（ＵＥ）によって使用可能なサブフレームを識別する情報を含み、
スケジューリングされた伝送のために１又は複数のサブフレームを識別する半持続性スケジューリング（ＳＰＳ）許可メッセージを送ることと、第２の周期性を有する前記ＳＰＳ許可メッセージは、前記ＲＰＩに少なくとも部分的に基づいて決定され、
前記ＳＰＳ許可メッセージにしたがって、前記スケジューリングされた伝送を前記ＵＥと交換することと、
を備える無線通信のための方法。
【請求項２】
前記第２の周期性は、前記第１の周期性の整数倍である請求項１に記載の方法。
【請求項３】
前記ＲＰＩはさらに、前記ＵＥによって使用可能ではない１又は複数のサブフレームを識別する情報を含む請求項１に記載の方法。
【請求項４】
前記スケジューリングされた伝送は、使用可能なサブフレームで交換される請求項１に記載の方法。
【請求項５】
前記使用可能なサブフレームは、保護されていないサブフレームを含む請求項４に記載の方法。
【請求項６】
ミスされたアップリンクＳＰＳ機会が、前記ＵＥによって使用可能であると前記ＲＰＩによって識別されたサブフレームに対してスケジューリングされたと識別することと、
前記識別することに基づいて、前記ミスされたアップリンクＳＰＳ機会を、黙示的なリリースのために空伝送と判定することと、
をさらに備える請求項１に記載の方法。
【請求項７】
前記送ることは、使用可能なサブフレームにおいて前記ＳＰＳ許可メッセージを送ることを備える請求項３に記載の方法。
【請求項８】
前記送ることは、その有用性が前記ＵＥによって知られていないサブフレームにおいて前記ＳＰＳ許可メッセージを送ることを備える請求項３に記載の方法。
【請求項９】
その有用性が前記ＵＥによって知られていない前記サブフレームにおいて前記ＳＰＳ許可メッセージを送る際に、前記サブフレームが保護されていることを保証することをさらに備える請求項８に記載の方法。
【請求項１０】
前記ＲＰＩによって示される前記サブフレームの周期的反復が、前記ＳＰＳ許可メッセージによって示されるＳＰＳ機会のために保護されていることを保証することをさらに備える請求項９に記載の方法。
【請求項１１】
その有用性が前記ＵＥによって知られていないサブフレームにおいて、アップリンク伝送を受信すること、あるいはダウンリンク伝送を送ることをさらに備える請求項８に記載の方法。
【請求項１２】
前記ＳＰＳ許可メッセージは、ＳＰＳ機会に対応するサブフレームからのオフセットを備え、前記オフセットは、前記ＳＰＳ機会に対応するサブフレームが前記ＵＥによって知られていないかまたは使用可能でない場合に、使用するためのサブフレームを示す請求項３に記載の方法。
【請求項１３】
前記オフセットは、前記ＳＰＳ許可メッセージを搬送するダウンリンク制御情報に含まれるか、または、上位レイヤから前記ＵＥによって取得される請求項１２に記載の方法。
【請求項１４】
前記ＳＰＳ許可メッセージは、保護されているサブフレームにおいて使用するための第１の変調および符号化スキーム（ＭＣＳ）と、他のサブフレームにおいて使用するための少なくとも第２のＭＣＳとを示す請求項３に記載の方法。
【請求項１５】
前記第１のＭＣＳと少なくとも前記第２のＭＣＳとの違いは、上位レイヤによって示されるか、または前記ＳＰＳ許可メッセージに含まれる請求項１４に記載の方法。
【請求項１６】
少なくとも前記第２のＭＣＳは、第２のＳＰＳ許可メッセージによって示される請求項１４に記載の方法。
【請求項１７】
少なくとも前記第２のＭＣＳを示すインジケーションは、前記第１のＭＣＳを示すインジケーションからのオフセットである請求項１４に記載の方法。
【請求項１８】
前記保護されているサブフレームでのアップリンク伝送と、前記他のサブフレームでのアップリンク伝送は、異なる電力制御セットポイントを有する請求項１４に記載の方法。
【請求項１９】
少なくとも１つの電力制御セットポイントは、上位レイヤによって、あるいは、前記ＳＰＳ許可メッセージにおいて提供される請求項１８に記載の方法。
【請求項２０】
前記他のサブフレームでのアップリンク伝送に関連付けられた電力制御セットポイントは、前記保護されているサブフレームでの前記アップリンク伝送に関連付けられた電力制御セットポイントに関する違いとして示される請求項１９に記載の方法。
【請求項２１】
第１の周期性を有するリソース分割情報（ＲＰＩ）を決定する手段と、前記ＲＰＩは、サービングノードＢと１又は複数の非サービングノードＢとの間のリソースの協調分割に起因して保護され、ユーザ機器（ＵＥ）によって使用可能なサブフレームを識別する情報を含み、
スケジューリングされた伝送のために１又は複数のサブフレームを識別する半持続性スケジューリング（ＳＰＳ）許可メッセージを送る手段と、第２の周期性を有する前記ＳＰＳ許可メッセージは、前記ＲＰＩに少なくとも部分的に基づいて決定され、
前記ＳＰＳ許可メッセージにしたがって、前記スケジューリングされた伝送を前記ＵＥと交換する手段と、
を備える無線通信のための装置。
【請求項２２】
前記第２の周期性は、前記第１の周期性の整数倍である請求項２１に記載の装置。
【請求項２３】
前記ＲＰＩはさらに、前記ＵＥによって使用可能ではない１又は複数のサブフレームを識別する情報を含む請求項２１に記載の装置。
【請求項２４】
前記スケジューリングされた伝送は、使用可能なサブフレームで交換される請求項２１に記載の装置。
【請求項２５】
ミスされたアップリンクＳＰＳ機会が、前記ＵＥによって使用可能であると前記ＲＰＩによって識別されたサブフレームに対してスケジューリングされたと識別する手段と、
前記識別することに基づいて、前記ミスされたアップリンクＳＰＳ機会を、黙示的なリリースのために空伝送として判定する手段と、
をさらに備える請求項２１に記載の装置。
【請求項２６】
第１の周期性を有するリソース分割情報（ＲＰＩ）を決定することと、前記ＲＰＩは、サービングノードＢと１または複数の非サービングノードＢとの間のリソースの協調分割に起因して保護され、ユーザ機器（ＵＥ）によって使用可能であるサブフレームを識別する情報を含み、
スケジューリングされた伝送のための１または複数のサブフレームを識別する半持続性スケジューリング（ＳＰＳ）許可メッセージを送ることと、第２の周期性を有する前記ＳＰＳ許可メッセージは、前記ＲＰＩに少なくとも部分的に基づいて決定され、
前記ＳＰＳ許可メッセージにしたがって、前記スケジューリングされた伝送を前記ＵＥと交換することと、
を実行するように構成された少なくとも１つのプロセッサを含む無線通信のための装置。
【請求項２７】
前記第２の周期性は、前記第１の周期性の整数倍である請求項２６に記載の装置。
【請求項２８】
前記ＲＰＩはさらに、前記ＵＥによって使用可能ではない１又は複数のサブフレームを識別する情報を含む請求項２６に記載の装置。
【請求項２９】
前記スケジューリングされた伝送は、使用可能なサブフレームで交換される請求項２６に記載の装置。
【請求項３０】
前記少なくとも１つのプロセッサは、ミスされたアップリンクＳＰＳ機会が、前記ＵＥによって使用可能であると前記ＲＰＩによって識別されたサブフレームに対してスケジューリングされたと識別し、前記識別することに基づいて、前記ミスされたアップリンクＳＰＳ機会を黙示的なリリースのために空伝送として判定するように構成される請求項２６に記載の装置。
【請求項３１】
第１の周期性を有するリソース分割情報（ＲＰＩ）を決定するためのコードと、前記ＲＰＩは、サービングノードＢと１又は複数の非サービングノードＢとの間のリソースの協調分割に起因して保護され、ユーザ機器（ＵＥ）によって使用可能なサブフレームを識別する情報を含み、
スケジューリングされた伝送のために１又は複数のサブフレームを識別する半持続性スケジューリング（ＳＰＳ）許可メッセージを送るためのコードと、第２の周期性を有する前記ＳＰＳ許可メッセージは、前記ＲＰＩに少なくとも部分的に基づいて決定され、
前記ＳＰＳ許可メッセージにしたがって、前記スケジューリングされた伝送を前記ＵＥと交換するためのコードと、
を備えるコンピュータプログラム。
【請求項３２】
前記第２の周期性は、前記第１の周期性の整数倍である請求項３１に記載のコンピュータプログラム。
【請求項３３】
前記ＲＰＩはさらに、前記ＵＥによって使用可能ではない１又は複数のサブフレームを識別する情報を含む請求項３１に記載のコンピュータプログラム。
【請求項３４】
前記スケジューリングされた伝送は、使用可能なサブフレームで交換される請求項３１に記載のコンピュータプログラム。
【請求項３５】
ミスされたアップリンクＳＰＳ機会が、前記ＵＥによって使用可能であると前記ＲＰＩによって識別されたサブフレームに対してスケジューリングされたと識別するためのコードと、
前記識別することに基づいて、前記ミスされたアップリンクＳＰＳ機会を、黙示的なリリースのために空伝送として判定するためのコードと、
をさらに備える請求項３１に記載のコンピュータプログラム。
【請求項３６】
スケジューリングされた伝送のための１または複数のサブフレームを識別する半持続性スケジューリング（ＳＰＳ）許可メッセージを受信することと、第１の周期性を有する前記ＳＰＳ許可メッセージは、第２の周期性を有するリソース分割情報（ＲＰＩ）に少なくとも部分的に基づいて決定され、前記ＲＰＩは、サービングｅノードＢと１または複数の非サービングノードＢとの間のリソースの協調分割に起因して保護され、ユーザ機器（ＵＥ）によって利用可能であるサブフレームを識別する情報を含み、
前記ＳＰＳ許可メッセージにしたがって、前記スケジューリングされた伝送を、前記サービングノードＢと交換することと、
を備える無線通信のための方法。
【請求項３７】
前記第１の周期性は、前記第２の周期性の整数倍である請求項３６に記載の方法。
【請求項３８】
前記ＲＰＩはさらに、前記ＵＥによって使用可能ではない１又は複数のサブフレームを識別する情報を含む請求項３６に記載の方法。
【請求項３９】
前記スケジューリングされた伝送は、使用可能なサブフレームで交換される請求項３６に記載の方法。
【請求項４０】
前記使用可能なサブフレームは、保護されていないサブフレームを含む請求項３９に記載の方法。
【請求項４１】
ミスされたアップリンクＳＰＳ機会が、前記ＵＥによって使用可能であると前記ＲＰＩによって識別されたサブフレームに対してスケジューリングされたと識別することと、
前記識別することに基づいて、前記ミスされたアップリンクＳＰＳ機会を、黙示的なリリースのために空伝送として判定することと、
をさらに備える請求項３６に記載の方法。
【請求項４２】
前記受信することは、使用可能なサブフレームにおいて前記ＳＰＳ許可メッセージを受信することを備える請求項３８に記載の方法。
【請求項４３】
前記受信することは、その有用性が前記ＵＥによって知られていないサブフレームにおいて前記ＳＰＳ許可メッセージを受信することを備える請求項３８に記載の方法。
【請求項４４】
その有用性が前記ＵＥによって知られていない前記サブフレームにおいて前記ＳＰＳ許可メッセージを受信する際に、前記サブフレームが保護されていると判定することをさらに備える請求項４３に記載の方法。
【請求項４５】
前記ＲＰＩによって示される前記サブフレームの周期的反復が、前記ＳＰＳ許可メッセージによって示されるＳＰＳ機会のために保護されていると判定することをさらに備える請求項４４に記載の方法。
【請求項４６】
その有用性が前記ＵＥによって知られていないサブフレームにおいて、アップリンク伝送を送ること、あるいはダウンリンク伝送を受信することをさらに備える請求項４３に記載の方法。
【請求項４７】
前記ＳＰＳ許可メッセージは、ＳＰＳ機会に対応するサブフレームからのオフセットを備え、前記オフセットは、前記ＳＰＳ機会に対応するサブフレームが前記ＵＥによって知られていないかまたは使用可能でない場合に、使用するためのサブフレームを示す請求項３８に記載の方法。
【請求項４８】
前記オフセットは、前記ＳＰＳ許可メッセージを搬送するダウンリンク制御情報に含まれるか、または、上位レイヤから取得される請求項４７に記載の方法。
【請求項４９】
前記ＳＰＳ許可メッセージは、保護されているサブフレームにおいて使用するための第１の変調および符号化スキーム（ＭＣＳ）と、他のサブフレームにおいて使用するための少なくとも第２のＭＣＳとを示す請求項３８に記載の方法。
【請求項５０】
前記第１のＭＣＳと少なくとも前記第２のＭＣＳとの違いは、上位レイヤによって示されるか、または前記ＳＰＳ許可メッセージに含まれる請求項４９に記載の方法。
【請求項５１】
少なくとも前記第２のＭＣＳは、第２のＳＰＳ許可メッセージによって示される請求項４９に記載の方法。
【請求項５２】
少なくとも前記第２のＭＣＳを示すインジケーションは、前記第１のＭＣＳを示すインジケーションからのオフセットである請求項４９に記載の方法。
【請求項５３】
前記保護されているサブフレームでのアップリンク伝送と、前記他のサブフレームでのアップリンク伝送は、異なる電力制御セットポイントを有する請求項４９に記載の方法。
【請求項５４】
少なくとも１つの電力制御セットポイントは、上位レイヤによって、あるいは、前記ＳＰＳ許可メッセージにおいて提供される請求項５３に記載の方法。
【請求項５５】
前記他のサブフレームでのアップリンク伝送に関連付けられた電力制御セットポイントは、前記保護されているサブフレームでのアップリンク伝送に関連付けられた電力制御セットポイントに関する違いとして示される請求項５４に記載の方法。
【請求項５６】
スケジューリングされた伝送のための１または複数のサブフレームを識別する半持続性スケジューリング（ＳＰＳ）許可メッセージを受信する手段と、第１の周期性を有する前記ＳＰＳ許可メッセージは、第２の周期性を有するリソース分割情報（ＲＰＩ）に少なくとも部分的に基づいて決定され、前記ＲＰＩは、サービングｅノードＢと１または複数の非サービングノードＢとの間のリソースの協調分割に起因して保護され、ユーザ機器（ＵＥ）によって利用可能であるサブフレームを識別する情報を含み、
前記ＳＰＳ許可メッセージにしたがって、前記スケジューリングされた伝送を、前記サービングノードＢと交換する手段と、
を含む無線通信のための装置。
【請求項５７】
前記第１の周期性は、前記第２の周期性の整数倍である請求項５６に記載の装置。
【請求項５８】
前記ＲＰＩはさらに、前記ＵＥによって使用可能ではない１又は複数のサブフレームを識別する情報を含む請求項５６に記載の装置。
【請求項５９】
前記スケジューリングされた伝送は、使用可能なサブフレームで交換される請求項５６に記載の装置。
【請求項６０】
ミスされたアップリンクＳＰＳ機会が、前記ＵＥによって使用可能であると前記ＲＰＩによって識別されたサブフレームに対してスケジューリングされたと識別する手段と、
前記識別することに基づいて、前記ミスされたアップリンクＳＰＳ機会を、黙示的なリリースのために空伝送として判定する手段と、
さらに備える請求項５６に記載の装置。
【請求項６１】
スケジューリングされた伝送のための１または複数のサブフレームを識別する半持続性スケジューリング（ＳＰＳ）許可メッセージを受信することと、第１の周期性を有する前記ＳＰＳ許可メッセージは、第２の周期性を有するリソース分割情報（ＲＰＩ）に少なくとも部分的に基づいて決定され、前記ＲＰＩは、サービングｅノードＢと１または複数の非サービングノードＢとの間のリソースの協調分割に起因して保護され、ユーザ機器（ＵＥ）によって利用可能であるサブフレームを識別する情報を含み、
前記ＳＰＳ許可メッセージにしたがって、前記スケジューリングされた伝送を、前記サービングノードＢと交換することと、
を実行するように構成された少なくとも１つのプロセッサを備える無線通信のための装置。
【請求項６２】
前記第１の周期性は、前記第２の周期性の整数倍である請求項６１に記載の装置。
【請求項６３】
前記ＲＰＩはさらに、前記ＵＥによって使用可能ではない１又は複数のサブフレームを識別する情報を含む請求項６１に記載の装置。
【請求項６４】
前記スケジューリングされた伝送は、使用可能なサブフレームで交換される請求項６１に記載の装置。
【請求項６５】
前記少なくとも１つのプロセッサは、ミスされたアップリンクＳＰＳ機会が、前記ＵＥによって使用可能であると前記ＲＰＩによって識別されたサブフレームに対してスケジューリングされたと識別し、前記識別することに基づいて、前記ミスされたアップリンクＳＰＳ機会を黙示的なリリースのために空伝送として判定するように構成される請求項６１に記載の装置。
【請求項６６】
スケジューリングされた伝送のための１または複数のサブフレームを識別する半持続性スケジューリング（ＳＰＳ）許可メッセージを受信するためのコードと、第１の周期性を有する前記ＳＰＳ許可メッセージは、第２の周期性を有するリソース分割情報（ＲＰＩ）に少なくとも部分的に基づいて決定され、前記ＲＰＩは、サービングｅノードＢと１または複数の非サービングノードＢとの間のリソースの協調分割に起因して保護され、ユーザ機器（ＵＥ）によって利用可能であるサブフレームを識別する情報を含み、
前記ＳＰＳ許可メッセージにしたがって、前記スケジューリングされた伝送を、前記サービングノードＢと交換するためのコードと、
を備えるコンピュータプログラム。
【請求項６７】
前記第１の周期性は、前記第２の周期性の整数倍である請求項６６に記載のコンピュータプログラム。
【請求項６８】
前記ＲＰＩはさらに、前記ＵＥによって使用可能ではない１又は複数のサブフレームを識別する情報を含む請求項６６に記載のコンピュータプログラム。
【請求項６９】
前記スケジューリングされた伝送は、使用可能なサブフレームで交換される請求項６６に記載のコンピュータプログラム。
【請求項７０】
ミスされたアップリンクＳＰＳ機会が、前記ＵＥによって使用可能であると前記ＲＰＩによって識別されたサブフレームに対してスケジューリングされたと識別するためのコードと、
前記識別することに基づいて、前記ミスされたアップリンクＳＰＳ機会を、黙示的なリリースのために空伝送として判定するためのコードと、
をさらに備える請求項６６に記載のコンピュータプログラム。
【請求項７１】
無線通信のための方法であって、
サービングノードＢと１または複数の非サービングノードＢとの間のリソースの協調分割に起因して保護され、ユーザ機器（ＵＥ）によって使用可能である１又は複数のサブフレームを識別する情報を含むリソース分割情報（ＲＰＩ）を決定することを含み、
前記ＲＰＩは現在の半持続性スケジューリング（ＳＰＳ）許可に少なくとも部分的に基づいて決定される、方法。
【請求項７２】
前記現在のＳＰＳ許可は、前記サービングノードＢおよび前記１又は複数の非サービングノードＢのうちの少なくとも１つのためのものである請求項７１に記載の方法。
【請求項７３】
前記ＲＰＩは、前記現在のＳＰＳ許可に少なくとも部分的に基づいて、前のＲＰＩと同じである請求項７１に記載の方法。
【請求項７４】
サービングノードＢと１または複数の非サービングノードＢとの間のリソースの協調分割に起因して保護され、ユーザ機器（ＵＥ）によって使用可能である１又は複数のサブフレームを識別する情報を含むリソース分割情報（ＲＰＩ）を決定する手段を備え、前記ＲＰＩは現在の半持続性スケジューリング（ＳＰＳ）許可に少なくとも部分的に基づいて決定される無線通信のための装置。
【請求項７５】
前記現在のＳＰＳ許可は、前記サービングノードＢおよび前記１又は複数の非サービングノードＢのうちの少なくとも１つのためのものである請求項７４に記載の装置。
【請求項７６】
前記ＲＰＩは、前記現在のＳＰＳ許可に少なくとも部分的に基づいて、前のＲＰＩと同じである請求項７４に記載の装置。
【請求項７７】
サービングノードＢと１または複数の非サービングノードＢとの間のリソースの協調分割に起因して保護され、ユーザ機器（ＵＥ）によって使用可能である１又は複数のサブフレームを識別する情報を含むリソース分割情報（ＲＰＩ）を決定するように構成された少なくとも１つのプロセッサを備え、前記ＲＰＩは現在の半持続性スケジューリング（ＳＰＳ）許可に少なくとも部分的に基づいて決定される無線通信のための装置。
【請求項７８】
前記現在のＳＰＳ許可は、前記サービングノードＢおよび前記１又は複数の非サービングノードＢのうちの少なくとも１つのためのものである請求項７７に記載の装置。
【請求項７９】
前記ＲＰＩは、前記現在のＳＰＳ許可に少なくとも部分的に基づいて、前のＲＰＩと同じである請求項７７に記載の装置。
【請求項８０】
サービングノードＢと１または複数の非サービングノードＢとの間のリソースの協調分割に起因して保護され、ユーザ機器（ＵＥ）によって使用可能である１又は複数のサブフレームを識別する情報を含むリソース分割情報（ＲＰＩ）を決定するためのコードを備え、前記ＲＰＩは現在の半持続性スケジューリング（ＳＰＳ）許可に少なくとも部分的に基づいて決定されるコンピュータプログラム。
【請求項８１】
前記現在のＳＰＳ許可は、前記サービングノードＢおよび前記１又は複数の非サービングノードＢのうちの少なくとも１つのためのものである請求項８０に記載のコンピュータプログラム。
【請求項８２】
前記ＲＰＩは、前記現在のＳＰＳ許可に少なくとも部分的に基づいて、前のＲＰＩと同じである請求項８０に記載のコンピュータプログラム。
【発明の詳細な説明】
【関連出願】
【０００１】
本特許出願は、”SPS Grants In HetNet”と題され、２０１０年４月２０日に提出された米国特許仮出願６１/３２６１９３号に対する利益を主張する。上記出願は、譲受人に譲渡され、参照によって本明細書に明確に組み込まれる。
【技術分野】
【０００２】
本開示の特定の態様は一般的に無線通信に関し、特に、異種ネットワークにおいてスケジューリングされた伝送を交換するための方法に関する。
【背景技術】
【０００３】
無線通信ネットワークは、音声、ビデオ、パケットデータ、メッセージング、ブロードキャストなどといった、様々な通信サービスを提供するために広く展開されている。無線ネットワークは、利用可能なネットワークリソースを共有することによって、複数のユーザをサポートすることができる多元接続ネットワークを含みうる。このような多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一キャリアＦＤＭＡ（ＳＣ−ＦＤＭＡ）ネットワークとを含む。
【０００４】
無線通信ネットワークは、多数のユーザ機器（ＵＥ）のための通信をサポートできる多数の基地局を含みうる。ＵＥはダウンリンクおよびアップリンクによって基地局と通信しうる。ダウンリンク（すなわちフォワードリンク）は基地局からＵＥへの通信リンクを指し、アップリンク（すなわちリバースリンク）はＵＥから基地局への通信リンクを指す。
【０００５】
基地局は、ダウンリンクでデータおよび制御情報をＵＥに送信しうる、および／あるいは、アップリンクでデータおよび制御情報をＵＥから受信しうる。ダウンリンクでは、基地局からの伝送が、近隣の基地局からの伝送による干渉を観測しうる。アップリンクでは、ＵＥからの伝送が、近隣の基地局と通信している他のＵＥからの伝送に対する干渉をひき起こしうる。この干渉は、ダウンリンクおよびアップリンクの両方について性能を劣化させうる。
【発明の概要】
【０００６】
時分割多重化（ＴＤＭ）分割（partitioning）は、同一チャネル展開における異種ネットワーク（ＨｅｔＮｅｔ）セル間干渉協調（ＩＣＩＣ inter-cell interference cordinate）を考慮したＩＣＩＣメカニズムのうちの１つである。例えば、発展型ノードＢ（ｅＮＢ）に予め割り付けられるサブフレームにおいて、近隣ｅＮＢは送信しないと、サービスされるユーザ機器（ＵＥ）によって経験される干渉が低減されうる。半持続性スケジューリング（ＳＰＳ：semi-persistent scheduling）許可は、様々な利用可能な周期性を有しうる。これは、ＴＤＭ分割に適合しない可能性がある。したがって、ＵＥは、ＵＥによって使用可能ではなかったサブフレームに対してスケジューリングされたＳＰＳ機会をミスする。故に、ＴＤＭ分割を伴う異種ネットワークにおいて、小さい周期性を有するＳＰＳ許可を使用することは、ＳＰＳ許可の周期性を調整すること、リソース分割情報（ＲＰＩ）に基づいてアップリンクＳＰＳを再スケジューリングすること、および／あるいは現在のＳＰＳ許可に基づいてＲＰＩを決定すること、を含む変更が必要となりうる。
【０００７】
本開示の特定の態様は無線通信のための方法を提供する。この方法は一般的に、第１の周期性を有するリソース分割情報（ＲＰＩ：resource partitioninig inforamtion）を決定すること、このＲＰＩは、サービングノードＢと１または複数の非サービングノードＢとの間のリソースの協調分割のために保護され、ユーザ機器（ＵＥ）によって使用可能であるサブフレームを識別する情報を含み；スケジューリングされた伝送のための１または複数のサブフレームを識別する半持続性スケジューリング（ＳＰＳ）許可メッセージを送ること、第２の周期性を有するこのＳＰＳ許可メッセージは、ＲＰＩに少なくとも部分的に基づいて決定され；ＳＰＳ許可メッセージにしたがってスケジューリングされた伝送をＵＥと交換すること、を含む。
【０００８】
本開示の特定の態様は無線通信のための装置を提供する。この装置は一般的に、第１の周期性を有するリソース分割情報（ＲＰＩ）を決定する手段と、このＲＰＩは、サービングノードＢと１または複数の非サービングノードＢとの間のリソースの協調分割のために保護され、ユーザ機器（ＵＥ）によって使用可能であるサブフレームを識別する情報を含み；スケジューリングされた伝送のための１または複数のサブフレームを識別する半持続性スケジューリング（ＳＰＳ）許可メッセージを送る手段と、第２の周期性を有するこのＳＰＳ許可メッセージは、ＲＰＩに少なくとも部分的に基づいて決定され；ＳＰＳ許可メッセージにしたがって、スケジューリングされた伝送をＵＥと交換する手段と、を含む。
【０００９】
本開示の特定の態様は無線通信のための装置を提供する。この装置は一般的に、第１の周期性を有するリソース分割情報（ＲＰＩ）を決定すること、このＲＰＩは、サービングノードＢと１または複数の非サービングノードＢとの間のリソースの協調分割のために保護され、ユーザ機器（ＵＥ）によって使用可能であるサブフレームを識別する情報を含み；、スケジューリングされた伝送のための１または複数のサブフレームを識別する半持続性スケジューリング（ＳＰＳ）許可メッセージを送ること、第２の周期性を有するこのＳＰＳ許可メッセージは、ＲＰＩに少なくとも部分的に基づいて決定され；ＳＰＳ許可メッセージにしたがって、スケジューリングされた伝送をＵＥと交換すること、を実行するように構成された少なくとも１つのプロセッサを含む。
【００１０】
特定の態様は、無線通信のためのコンピュータプログラム製品を提供する。このコンピュータプログラム製品は通常、記憶された命令群を有するコンピュータ可読媒体を含み、この命令群は１又は複数のプロセッサによって実行可能である。この命令群は一般的に、第１の周期性を有するリソース分割情報（ＲＰＩ）を決定するためのコードと、このＲＰＩは、サービングノードＢと１または複数の非サービングノードＢとの間のリソースの協調分割のために保護され、ユーザ機器（ＵＥ）によって使用可能であるサブフレームを識別する情報を含み；スケジューリングされた伝送のための１または複数のサブフレームを識別する半持続性スケジューリング（ＳＰＳ）許可メッセージを送るためのコードと、第２の周期性を有するこのＳＰＳ許可メッセージは、ＲＰＩに少なくとも部分的に基づいて決定され；ＳＰＳ許可メッセージにしたがって、スケジューリングされた伝送をＵＥと交換するためのコードと、を含む。
【００１１】
本開示の特定の態様は無線通信のための方法を提供する。この方法は一般的に、スケジューリングされた伝送のための１または複数のサブフレームを識別する半持続性スケジューリング（ＳＰＳ）許可メッセージを受信することと、第１の周期性を有するこのＳＰＳ許可メッセージは、第２の周期性を有するリソース分割情報（ＲＰＩ）に少なくとも部分的に基づいて決定され、ＲＰＩは、サービングｅノードＢと１または複数の非サービングノードＢとの間のリソースの協調分割のために保護され、ユーザ機器（ＵＥ）によって利用可能であるサブフレームを識別する情報を含み；ＳＰＳ許可メッセージにしたがって、スケジューリングされた伝送を、サービングノードＢと交換することと、を含む。
【００１２】
本開示の特定の態様は無線通信のための装置を提供する。この装置は一般的に、スケジューリングされた伝送のための１または複数のサブフレームを識別する半持続性スケジューリング（ＳＰＳ）許可メッセージを受信する手段と、第１の周期性を有するこのＳＰＳ許可メッセージは、第２の周期性を有するリソース分割情報（ＲＰＩ）に少なくとも部分的に基づいて決定され、ＲＰＩは、サービングｅノードＢと１または複数の非サービングノードＢとの間のリソースの協調分割のために保護され、ユーザ機器（ＵＥ）によって利用可能であるサブフレームを識別する情報を含み；ＳＰＳ許可メッセージにしたがって、スケジューリングされた伝送を、サービングノードＢと交換する手段と、を含む。
【００１３】
本開示の特定の態様は無線通信のための装置を提供する。この装置は一般的に、スケジューリングされた伝送のための１または複数のサブフレームを識別する半持続性スケジューリング（ＳＰＳ）許可メッセージを受信することと、第１の周期性を有するＳＰＳ許可メッセージは、第２の周期性を有するリソース分割情報（ＲＰＩ）に少なくとも部分的に基づいて決定され、ＲＰＩは、サービングｅノードＢと１または複数の非サービングノードＢとの間のリソースの協調分割に起因して保護され、ユーザ機器（ＵＥ）によって利用可能であるサブフレームを識別する情報を含み；ＳＰＳ許可メッセージにしたがって、スケジューリングされた伝送を、サービングノードＢと交換することと、を実行するように構成された少なくとも１つのプロセッサを含む。
【００１４】
特定の態様は、無線通信のためのコンピュータプログラム製品を提供する。このコンピュータプログラム製品は通常、記憶された命令群を有するコンピュータ可読媒体を含み、この命令群は１又は複数のプロセッサによって実行可能である。この命令群は一般的に、スケジューリングされた伝送のための１または複数のサブフレームを識別する半持続性スケジューリング（ＳＰＳ）許可メッセージを受信するためのコードと、第１の周期性を有するこのＳＰＳ許可メッセージは、第２の周期性を有するリソース分割情報（ＲＰＩ）に少なくとも部分的に基づいて決定され、ＲＰＩは、サービングｅノードＢと１または複数の非サービングノードＢとの間のリソースの協調分割のために保護され、ユーザ機器（ＵＥ）によって利用可能であるサブフレームを識別する情報を含み；ＳＰＳ許可メッセージにしたがって、スケジューリングされた伝送を、サービングノードＢと交換するコードと、を含む。
【００１５】
本開示の特定の態様は無線通信のための方法を提供する。この方法は一般的に、サービングノードＢと１または複数の非サービングノードＢとの間のリソースの協調分割のために保護され、ユーザ機器（ＵＥ）によって使用可能である１又は複数のサブフレームを識別する情報を含むリソース分割情報（ＲＰＩ）を決定することを含み、ＲＰＩは現在の半持続性スケジューリング（ＳＰＳ）許可に少なくとも部分的に基づいて決定される。
【００１６】
本開示の特定の態様は無線通信のための装置を提供する。この装置は一般的に、サービングノードＢと１または複数の非サービングノードＢとの間のリソースの協調分割のために保護され、ユーザ機器（ＵＥ）によって使用可能である１又は複数のサブフレームを識別する情報を含むリソース分割情報（ＲＰＩ）を決定する手段を含み、ＲＰＩは現在の半持続性スケジューリング（ＳＰＳ）許可に少なくとも部分的に基づいて決定される。
【００１７】
本開示の特定の態様は無線通信のための装置を提供する。この装置は一般的に、サービングノードＢと１または複数の非サービングノードＢとの間のリソースの協調分割のために保護され、ユーザ機器（ＵＥ）によって使用可能である１又は複数のサブフレームを識別する情報を含むリソース分割情報（ＲＰＩ）を決定するように構成された少なくとも１つのプロセッサを含み、ＲＰＩは現在の半持続性スケジューリング（ＳＰＳ）許可に少なくとも部分的に基づいて決定される。
【００１８】
特定の態様は、無線通信のためのコンピュータプログラム製品を提供する。このコンピュータプログラム製品は通常、記憶された命令群を有するコンピュータ可読媒体を含み、この命令群は１又は複数のプロセッサによって実行可能である。この命令群は一般的に、サービングノードＢと１または複数の非サービングノードＢとの間のリソースの協調分割のために保護され、ユーザ機器（ＵＥ）によって使用可能である１又は複数のサブフレームを識別する情報を含むリソース分割情報（ＲＰＩ）を決定するためのコードを含み、ＲＰＩは現在の半持続性スケジューリング（ＳＰＳ）許可に少なくとも部分的に基づいて決定される。
【００１９】
本開示の様々な態様および特徴が以下にさらに詳細に説明される。
【図面の簡単な説明】
【００２０】
【図１】図１は、本開示の態様にしたがって無線通信ネットワークの実例を概念的に例示するブロック図である。
【図２】図２は、本開示の態様にしたがって、無線通信ネットワークにおけるフレーム構造の実例を概念的に例示するブロック図である。
【図２Ａ】図２Ａは、本開示の特定の態様にしたがって、ロングタームエボリューション（ＬＴＥ）におけるアップリンクのための実例的なフォーマットを示す。
【図３】図３は、本開示の特定の態様にしたがって、無線通信ネットワークにおいてユーザ機器デバイス（ＵＥ）と通信しているノードＢの実例を概念的に例示するブロック図を示す。
【図４】図４は、実例的な異種ネットワークを例示する。
【図５】図５は、異種ネットワークにおける実例的なリソース分割を例示する。
【図６】図６は、異種ネットワークにおける実例的なサブフレームの協調分割を例示する。
【図７】図７は、本開示の特定の態様にしたがって、リソース分割情報（ＲＰＩ）に少なくとも部分的に基づいて決定される半持続性スケジューリング（ＳＰＳ）許可メッセージを送るための実例的な動作を例示する。
【図７Ａ】図７Ａは、図７に例示される動作を実行することができる実例的なコンポーネントを例示する。
【図７Ｂ】図７Ｂは、本開示の特定の態様にしたがって、現在のＳＰＳ許可に少なくとも部分的に基づいてＲＰＩを決定することができる実例的なコンポーネントを例示する。
【図８】図８は、本開示の特定の態様にしたがって、ＲＰＩに少なくとも部分的に基づいて決定されるＳＰＳ許可メッセージを受信するための実例的な動作を例示する。
【図８Ａ】図８Ａは、図８に例示される動作を実行することができる実例的なコンポーネントを例示する。
【図９】図９は、本開示の特定の態様にしたがって、サービングノードＢとＵＥとの間の伝送をスケジューリングするためにＳＰＳ許可メッセージを受信するＵＥの実例を例示する。
【図１０】図１０は、本開示の特定の態様にしたがって、サービングノードＢとＵＥとの間の伝送をスケジューリングするためにＳＰＳ許可メッセージを受信するＵＥの実例を例示する。
【図１１】図１１は、本開示の特定の態様にしたがって、サービングノードＢとＵＥとの間の伝送をスケジューリングするためにＳＰＳ許可メッセージを受信するＵＥの実例を例示する。
【図１２】図１２は、本開示の特定の態様にしたがって、サービングノードＢとＵＥとの間の伝送をスケジューリングするためにＳＰＳ許可メッセージを受信するＵＥの実例を例示する。
【発明を実施するための形態】
【００２１】
本明細書において説明される技術は、ＣＤＭＡ、ＴＤＭＡ、ＦＤＭＡ、ＯＦＤＭＡ、ＳＣ−ＦＤＭＡおよびその他のネットワークのような様々な無線通信ネットワークに関して使用されうる。用語「ネットワーク」および「システム」は置換可能なように使用されることが多い。ＣＤＭＡネットワークは、ユニバーサル地上ラジオアクセス（ＵＴＲＡ）、ｃｄｍａ２０００、などのようなラジオ技術を実施しうる。ＵＴＲＡは、広帯域ＣＤＭＡ（ＷＣＤＭＡ）と、ＣＤＭＡのその他の変形とを含む。ｃｄｍａ２０００は、ＩＳ−２０００規格と、ＩＳ−９５規格と、ＩＳ−８５６規格とをカバーする。ＴＤＭＡネットワークは、グローバルシステム・フォー・モバイルコミュニケーション（ＧＳＭ（登録商標））のようなラジオ技術を実現しうる。ＯＦＤＭＡネットワークは、発展型ＵＴＲＡ（Ｅ−ＵＴＲＡ）、ウルトラモバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなどのようなラジオ技術を実現しうる。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡと、Ｅ−ＵＴＲＡと、ＵＭＴＳと、ＬＴＥと、ＬＴＥ−Ａと、ＧＳＭとは、「第３世代パートナーシッププロジェクト」（３ＧＰＰ）と称される団体からの文書において説明されている。ｃｄｍａ２０００およびＵＭＢは、「第３世代パートナーシッププロジェクト２」（３ＧＧＰ２）と称される団体からの文書において説明されている。本明細書において説明される技術は、上述された無線ネットワークおよびラジオ技術に加えて、その他の無線ネットワークおよびラジオ技術のために使用されうる。明確化のために、これらの技術の特定の態様はＬＴＥに関して以下に説明され、ＬＴＥ用語が以下の説明の大部分において使用される。
【００２２】
図１は、ＬＴＥネットワークを含みうる無線通信ネットワーク１００を示す。無線ネットワーク１００は多数の発展型ノードＢ（ｅＮＢ）１１０と、その他のネットワークエンティティとを含みうる。ｅＮＢは、ＵＥと通信する局を含み、また、基地局、ノードＢ、アクセスポイントなどとも称されうる。各ｅＮＢ１１０は、特定の地理的エリアのための通信カバレッジを提供しうる。３ＧＰＰにおいて、用語「セル」は、その用語が使用されるコンテキストに依存して、ｅＮＢのカバレッジエリアおよび／あるいはこのカバレッジエリアにサービス提供しているｅＮＢサブシステムを称しうる。
【００２３】
ｅＮＢは、マクロセル、ピコセル、フェムトセル、および／あるいはその他のタイプのセルのための通信カバレッジを提供しうる。マクロセルは、比較的大きい地理的エリア（例えば、半径数キロメータ）をカバーし、サービス加入しているＵＥによる無制限のアクセスを可能にする。ピコセルは、比較的小さい地理的エリアをカバーし、サービス加入しているＵＥによる無制限のアクセスを可能にする。フェムトセルは、比較的小さい地理的エリア（例えば、住宅）をカバーするものであり、（例えば、限定加入者グループ（ＣＳＧ：Closed Subscriber Group）におけるＵＥや、住宅内のユーザのためのＵＥなどのような）そのフェムトセルとの関連を有するＵＥによる、制限されたアクセスを可能にする。マクロセルのためのｅＮＢは、マクロｅＮＢと称されうる。ピコセルのためのｅＮＢは、ピコｅＮＢと称されうる。フェムトセルのためのｅＮＢは、フェムトｅＮＢあるいはホームｅＮＢと称されうる。図１に示される実例において、ｅＮＢ１１０ａ、１１０ｂ、１１０ｃはそれぞれ、マクロセル１０２ａ、１０２ｂ、１０２ｃのためのマクロｅＮＢでありうる。ｅＮＢ１１０ｘは、ピコセル１０２ｘのためのピコｅＮＢでありうる。ｅＮＢ１１０ｙ、１１０ｚはそれぞれ、フェムトセル１０２ｙ、１０２ｚのためのフェムトｅＮＢでありうる。ｅＮＢは、１または複数（例えば、３つ）のセルをサポートしうる。
【００２４】
無線ネットワーク１００はまた、リレー局を含みうる。リレー局は、(例えば、ｅＮＢやＵＥなどのような）アップストリーム局からデータの伝送および／あるいはその他の情報を受信し、（例えば、ＵＥやｅＮＢなどのような）ダウンストリーム局にデータおよび／あるいはその他の情報の伝送を送信する局である。リレー局はまた、その他のＵＥのための伝送をリレーするＵＥでありうる。図１に示される実例において、リレー局１１０ｒは、ｅＮＢ１１０ａとＵＥ１２０ｒとの間の通信を容易にするために、ｅＮＢ１１０ａおよびＵＥ１２０ｒと通信しうる。リレー局は、リレーｅＮＢやリレーなどとも称されうる。
【００２５】
無線ネットワーク１００は、例えば、マクロｅＮＢ、ピコｅＮＢ、フェムトｅＮＢ、リレーなどのような、異なるタイプのｅＮＢを含む異種ネットワークでありうる。これらの異なるタイプのｅＮＢは、無線ネットワーク１００において、異なる送信電力レベル、異なるカバレッジエリア、干渉に対する異なる影響を有しうる。例えば、マクロｅＮＢが、高い送信電力レベル（例えば、２０ワット）を有するのに対して、ピコｅＮＢ、フェムトｅＮＢ、およびリレーは、より低い送信電力レベル（例えば、１ワット）を有する。
【００２６】
無線ネットワーク１００は、同期動作あるいは非同期動作をサポートしうる。同期動作では、複数のｅＮＢが同様のフレームタイミングを有し、複数の異なるｅＮＢからの伝送が時間的にほぼそろう。非同期動作では、複数のｅＮＢが異なるフレームタイミングを有し、複数の異なるｅＮＢからの伝送は時間的にそろっていない可能性がある。本明細書において説明される技術は、同期動作および非同期動作の両方のために使用されうる。
【００２７】
ネットワークコントローラ１３０は、ｅＮＢのセットに結合され、これらのｅＮＢのための調整および制御を提供しうる。ネットワークコントローラ１３０は、バックホールによってｅＮＢ１１０と通信しうる。ｅＮＢ１１０はまた、例えば、無線あるいは有線バックホールによって直接的にあるいは間接的に互いに通信する。
【００２８】
ＵＥ１２０は、無線ネットワーク１００にわたって分散され、各ＵＥは据置式あるいは移動式でありうる。ＵＥは、端末や、モバイル局や、加入者ユニットや、局などとも称されうる。ＵＥは、セルラ電話、携帯情報端末（ＰＤＡ）、無線モデム、無線通信デバイス、ハンドヘルドデバイス、ラップトップコンピュータ、コードレス電話、無線ローカルループ（ＷＬＬ）局などを含みうる。ＵＥは、マクロｅＮＢ、ピコｅＮＢ、フェムトｅＮＢ、リレーなどと通信することができる。図１において、実線の両方向矢印は、ＵＥとサービングｅＮＢとの間の望ましい伝送を示す。これは、ダウンリンクおよび／あるいはアップリンクでＵＥにサービス提供するように指定されたｅＮＢである。破線の両方向矢印は、ＵＥとｅＮＢとの間の干渉している伝送を示す。
【００２９】
ＬＴＥは、ダウンリンクでは直交周波数分割多重化（ＯＦＤＭ）を利用し、アップリンクでは単一キャリア周波数分割多重化（ＳＣ−ＦＤＭ）を利用する。ＯＦＤＭおよびＳＣ−ＦＤＭ分割は、システム帯域幅を複数（Ｋ個）の直交サブキャリアに分割する。これは一般的に、トーンやビンなどとも称される。各サブキャリアはデータで変調される。一般的に、変調シンボルは、ＯＦＤＭを用いて周波数ドメインにおいて送られ、ＳＣ−ＦＤＭＡを用いて時間ドメインにおいて送られる。隣接するサブキャリア間の間隔は一定であり、サブキャリアの総数（Ｋ）はシステム帯域幅に依存しうる。例えば、Ｋは、システム帯域幅の１．２５、２．５、５、１０、または２０メガヘルツ（ＭＨｚ）に対して、それぞれ、１２８、２５６、５１２、１０２４、または２０４８に等しくなりうる。システム帯域幅はまた、サブバンドに分割されうる。例えば、サブバンドは、１．０８ＭＨｚをカバーし、また、システム帯域幅の１．２５、２．５、５、１０、または２０ＭＨｚに対してそれぞれ、１、２、４、８、または１６個のサブバンドが存在する。
【００３０】
図２は、ＬＴＥにおいて使用されるフレーム構造を示す。ダウンリンクのための伝送タイムラインは、ラジオフレームのユニットに分割されうる。各ラジオフレームは、予め定められた持続時間（例えば、１０ミリ秒（ｍｓ））を有し、０乃至９のインデックスで１０個のサブフレームに分割されうる。各サブフレームは２つのスロットを含みうる。したがって、各ラジオフレームは０乃至１９のインデックスで２０個のスロットを含みうる。各スロットはＬ個のシンボル期間を含み、例えば、（図２に示されるように）通常巡回プレフィックスのためにＬ＝７個のシンボル期間、あるいは拡張巡回プレフィックスのためにＬ＝６個のシンボル期間を含みうる。各サブフレームにおける２Ｌ個のシンボル期間は、０乃至２Ｌ−１のインデックスを割り当てられうる。利用可能な時間周波数リソースは、リソースブロックに分割されうる。各リソースブロックは、１つのスロットにおいてＮ個のサブキャリア（例えば、１２個のサブキャリア）をカバーしうる。
【００３１】
ＬＴＥにおいて、ｅＮＢは、ｅＮＢにおける各セルのために、プライマリ同期信号（ＰＳＳ）およびセカンダリ同期信号（ＳＳＳ）を送りうる。プライマリおよびセカンダリ同期信号は、それぞれ、図２において示されるように、通常巡回プレフィックスと共に、各ラジオフレームのサブフレーム０、５のそれぞれにおけるシンボル期間６、５において送られうる。これらの同期信号は、セル検出および獲得のためにＵＥによって使用されうる。ｅＮＢは、サブフレーム０のスロット１におけるシンボル期間０乃至３において物理ブロードキャストチャネル（ＰＢＣＨ）を送る。ＰＢＣＨは、特定のシステム情報を搬送する。
【００３２】
ｅＮＢは、図２において示されるように、各サブフレームの第１のシンボル期間において物理制御フォーマットインジケータチャネル（ＰＣＦＩＣＨ）を送りうる。ＰＣＦＩＣＨは、制御チャネルのために使用されるシンボル期間の数（Ｍ）を伝達しうる。ここで、Ｍは１、２、あるいは３に等しく、サブフレーム毎に変化しうる。Ｍはまた、例えば１０より少ないリソースブロックを持つ小さなシステム帯域幅では、４に等しくなりうる。ｅＮＢは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送りうる（図２に図示せず）。ＰＨＩＣＨは、ハイブリッド自動再送要求（ＨＡＲＱ）をサポートするための情報を搬送しうる。ＰＤＣＣＨは、ＵＥのためのリソース割当についての情報と、ダウンリンクチャネルのための制御情報とを搬送しうる。ｅＮＢは、各サブフレームの残りのシンボル期間において物理ダウンリンク共有チャネル（ＰＤＳＣＨ）を送りうる。ＰＤＳＣＨは、ダウンリンクでのデータ伝送のためにスケジューリングされたＵＥのためにデータを搬送しうる。ＬＴＥにおける様々な信号およびチャネルは、「Evolved Universal Terrestrial Radio Access (E-UTRA); Physical Channels and Modulation,」と題される、３ＧＰＰ ＴＳ ３６．２１１において説明されており、またこれは公表されているものである。
【００３３】
ｅＮＢは、ｅＮＢによって使用されるシステム帯域幅の中心である１．０８ＭＨｚにおいてＰＳＳ、ＳＳＳ、およびＰＢＣＨを送りうる。ｅＮＢは、ＰＣＦＩＣＨおよびＰＨＩＣＨが送られる各シンボル期間において、システム帯域幅全体にわたってこれらのチャネルを送りうる。ｅＮＢは、システム帯域幅の特定の部分においてＵＥのグループにＰＤＣＣＨを送りうる。ｅＮＢは、システム帯域幅の特定の部分において特定のＵＥにＰＤＳＣＨを送りうる。ｅＮＢは、ブロードキャストで、ＰＳＳ、ＳＳＳ、ＰＢＣＨ、ＰＣＦＩＣＨ、およびＰＨＩＣＨを全てのＵＥに送り、ユニキャストでＰＤＣＣＨを特定のＵＥに送り、ユニキャストでＰＤＳＣＨを特定のＵＥに送る。
【００３４】
多数のリソース要素が各シンボル期間において利用可能でありうる。各リソース要素は、１つのシンボル期間において１つのサブキャリアをカバーし、実数値あるいは複素数値を含みうる１つの変調シンボルを送るために使用されうる。各シンボル期間において基準信号のために使用されないリソース要素は、リソース要素グループ（ＲＥＧ：resource element group）内に配置されうる。各ＲＥＧは、１つのシンボル期間において４つのリソース要素を含みうる。ＰＣＦＩＣＨは４つのＲＥＧを占有しうる。これらは、シンボル期間０において、周波数にわたっておよそ均一に間隔を空けられうる。ＰＨＩＣＨは３つのＲＥＧを占有しうる。これらは、１又は複数の設定可能なシンボル期間において、周波数にわたって分散されうる。例えば、ＰＨＩＣＨのための３つのＲＥＧは、全てシンボル期間０に属するか、あるいは、シンボル期間０、１、および２に分散されうる。ＰＤＣＣＨは９、１８、３２、あるいは６４個のＲＥＧを占有しうる。これらは、最初のＭ個のシンボル期間において、利用可能なＲＥＧから選択されうる。ＲＥＧの特定の組合せのみが、ＰＤＣＣＨに対して許可されうる。
【００３５】
ＵＥは、ＰＨＩＣＨおよびＰＣＦＩＣＨのために使用される特定のＲＥＧを知りうる。ＵＥは、ＰＤＣＣＨのためにＲＥＧの異なる組合せを探索しうる。探索するための組合せの数は通常、ＰＤＣＣＨに対して許可される組合せの数よりも少ない。ｅＮＢは、ＵＥが探索するだろう組合せのうちの任意のものにおいてＵＥにＰＤＣＣＨを送りうる。
【００３６】
図２Ａは、ＬＴＥにおけるアップリンクのための典型的なフォーマット２００Ａを示す。アップリンクのために利用可能なリソースブロックは、データセクションおよび制御セクションに分割されうる。制御セクションは、システム帯域幅の両端に形成され、設定可能なサイズを有しうる。制御セクションにおけるリソースブロックは、制御情報の伝送のためにＵＥに割り当てられうる。データセクションは、制御セクションに含まれない全てのリソースブロックを含みうる。図２Ａにおける設計は、データセクションが連続的なサブキャリアを含むことをもたらす。これによって、データセクション内の連続的なサブキャリアの全てが単一のＵＥに割り当てられることが可能になりうる。
【００３７】
ＵＥは、ｅＮＢに制御情報を送信するために、制御セクションにおけるリソースブロックが割り当てられうる。ＵＥはまた、ｅＮＢにデータを送信するために、データセクションにおけるリソースブロックが割り当てられうる。ＵＥは、制御セクションにおける割り当てられたリソースブロックで、物理アップリンク制御チャネル（ＰＵＣＣＨ）２１０において、制御情報を送信する。ＵＥは、データセクションにおける割り当てられたリソースブロックで、物理アップリンク共有チャネル（ＰＵＳＣＨ）２２０において、データのみ、あるいは、データおよび制御情報の両方を送信する。アップリンク伝送は、図２Ａに示されるように、サブフレームの両方のスロットにわたり、また、周波数にわたってホップしうる。
【００３８】
ＬＴＥにおけるＰＳＳ、ＳＳＳ、ＣＲＳ、ＰＢＣＨ、ＰＵＣＣＨ、およびＰＵＳＣＨは、「Evolved Universal Terrestrial Radio Access (E-UTRA); Physical Channels and Modulation,」と題される、３ＧＰＰ ＴＳ ３６．２１１において説明されており、またこれは公表されているものである。
【００３９】
ＵＥは、複数のｅＮＢのカバレッジ内にありうる。これらのｅＮＢのうちの１つが、ＵＥにサービス提供するために選択されうる。サービングｅＮＢは、受信電力、パスロス、信号対雑音比（ＳＮＲ）などのような様々な基準に基づいて選択されうる。
【００４０】
ＵＥは、ＵＥが１又は複数の干渉しているｅＮＢからの高い干渉を観測しうる支配的干渉シナリオにおいて動作しうる。支配的干渉シナリオは、制限された関連付けに起因して生じうる。例えば、図１において、ＵＥ１２０ｙは、フェムトｅＮＢ１１０ｙに近接しており、ｅＮＢ１１０ｙに対して高い受信電力を有しうる。しかしながら、ＵＥ１２０ｙは、制限された関連付けに起因して、フェムトｅＮＢ１１０ｙにアクセスすることができず、より低い受信電力でマクロｅＮＢ１１０ｃに接続するか（図１に図示される）、あるいはより低い受信電力でフェムトｅＮＢ１１０ｚに接続しうる（図１に図示せず）。ＵＥ１２０ｙはその後、ダウンリンクでフェムトｅＮＢ１１０ｙからの高い干渉を観測し、また、アップリンクでｅＮＢ１１０ｙに対する高い干渉を引き起こしうる。本開示の特定の態様では、ＵＥ１２０ｙは、ＵＥ１２０ｙとマクロｅＮＢ１１０ｃとの間のスケジューリングされた伝送のための１又は複数のサブフレームを識別する半持続性スケジューリング（ＳＰＳ）許可メッセージ１４０を受信する。ここにおいて、ＳＰＳ許可メッセージ１４０は、本明細書においてさらに説明されるように、リソース分割情報（ＲＰＩ）に基づいて決定される。
【００４１】
支配的干渉シナリオはまた、範囲拡大に起因して生じうる。これは、ＵＥが、そのＵＥによって検出される全てのｅＮＢの中の、より低いパスロスおよびより低いＳＮＲを有するｅＮＢに接続するシナリオである。例えば、図１において、ＵＥ１２０ｘは、マクロｅＮＢ１１０ｂおよびピコｅＮＢ１１０ｘを検出し、また、ｅＮＢ１１０ｂに対する受信電力よりも低い受信電力をｅＮＢ１１０ｘに対して有しうる。それでもなお、ｅＮＢ１１０ｘに対するパスロスが、マクロｅＮＢ１１０ｂに対するパスロスよりも低い場合、ＵＥ１２０ｘがピコｅＮＢ１１０ｘに接続することが望ましい。これは、ＵＥ１２０ｘのための所与のデータレートに関して、無線ネットワークに対する干渉が少なくなることをもたらしうる。
【００４２】
１つの態様において、支配的干渉シナリオにおける通信は、異なるｅＮＢを異なる周波数帯域で動作させることによってサポートされうる。周波数帯域は、通信のために使用されうる周波数の範囲であり、（ｉ）中心周波数および帯域幅、あるいは（ｉｉ）低い方の周波数および高い方の周波数によって与えられる。周波数帯域は、帯域や周波数チャネルなどとも呼ばれる。異なるｅＮＢのための周波数帯域は、強いｅＮＢがそのＵＥと通信することを可能にしながら、ＵＥが支配的干渉シナリオにおいて、より弱いｅＮＢと通信できるように選択される。ｅＮＢは（ｅＮＢの送信電力レベルに基づくのではなく）ＵＥにおけるｅＮＢの受信電力に基づいて、「弱い」ｅＮＢあるいは「強い」ｅＮＢとして分類されうる。
【００４３】
図３は、基地局／ｅＮＢ１１０およびＵＥ１２０の設計のブロック図を示す。これらは、図１における基地局／ｅＮＢのうちの１つと、ＵＥのうちの１つとでありうる。制限された関連付けシナリオでは、基地局１１０は図１におけるマクロｅＮＢ１１０ｃであり、ＵＥ１２０はＵＥ１２０ｙでありうる。基地局１１０はまた、その他何らかのタイプの基地局でありうる。基地局１１０は、Ｔ個のアンテナ３３４ａ乃至３３４ｔを装備し、ＵＥ１２０はＲ個のアンテナ３５２ａ乃至３５２ｒを装備しうる。ここで一般的に、Ｔ≧１およびＲ≧１である。
【００４４】
基地局１１０において、送信プロセッサ３２０はデータソース３１２からデータを受信し、コントローラ／プロセッサ３４０からの情報を制御する。制御情報は、ＰＢＣＨ、ＰＣＦＩＣＨ、ＰＨＩＣＨ、ＰＤＣＣＨなどのためのものである。データは、ＰＤＳＣＨなどのためのである。プロセッサ３２０は、データおよび制御情報を処理（例えば、符号化およびシンボルマッピング）し、データシンボルおよび制御シンボルをそれぞれ取得しうる。プロセッサ３２０はまた、例えば、ＰＳＳ、ＳＳＳのような基準シンボルと、セル固有基準信号とを生成する。送信（ＴＸ）多入力多出力（ＭＩＭＯ）プロセッサ３３０は、適用可能であれば、データシンボル、制御シンボル、および／あるいは、基準シンボルに空間処理（例えば、プリコーディング）を実行し、Ｔ個の出力シンボルストリームをＴ個の変調器（ＭＯＤ）３３２ａ乃至３３２ｔに提供する。各変調器３３２は、（例えば、ＯＦＤＭなどのための）それぞれの出力シンボルストリームを処理して、出力サンプルストリームを取得する。各変調器３３２はさらに、出力サンプルストリームを処理（例えば、アナログへコンバート、増幅、フィルタ、およびアップコンバート）して、ダウンリンク信号を取得する。変調器３３２ａ乃至３３２ｔからのダウンリンク信号は、アンテナ３３４ａ乃至３３４ｔのそれぞれによって送信される。
【００４５】
ＵＥ１２０において、アンテナ３５２ａ乃至３５２ｒは、基地局１１０からダウンリンク信号を受信し、復調器（ＤＥＭＯＤ）３５４ａ乃至３５４ｒのそれぞれに受信信号を提供する。各復調器３５４はそれぞれの受信信号を調整（例えば、フィルタ、増幅、ダウンコンバート、およびデジタル化）して、入力サンプルを取得する。各復調器３５４はさらに、（例えば、ＯＦＤＭなどのための）入力サンプルを処理して、受信されたシンボルを取得する。ＭＩＭＯ検出器３５６は、Ｒ個の全ての復調器３５４ａ乃至３５４ｒから受信されたシンボルを取得し、適用可能であれば、受信されたシンボルにＭＩＭＯ検出を実行し、検出されたシンボルを提供する。受信プロセッサ３５８は、検出されたシンボルを処理（例えば、復調、デインタリーブ、および復号）し、ＵＥ１２０のための復号されたデータをデータシンク３６０に提供し、復号された制御情報をコントローラ／プロセッサ３８０に提供する。
【００４６】
アップリンクでは、ＵＥ１２０において、送信プロセッサ３６４は、データソース３６２から（例えば、ＰＵＳＣＨのための）データを、また、コントローラ／プロセッサ３８０から（例えば、ＰＵＣＣＨのための）制御情報を受信して処理する。プロセッサ３６４はまた、基準信号のための基準シンボルを生成する。送信プロセッサ３６４からのシンボルは、適用可能であれば、ＴＸ ＭＩＭＯプロセッサ３６６によってプリコーディングされ、（例えば、ＳＣ−ＦＤＭなどのための）変調器３５４ａ乃至３５４ｒによってさらに処理され、基地局１１０に送信される。基地局１１０において、ＵＥ１２０からのアップリンク信号はアンテナ３３４によって受信され、復調器３３２によって処理され、適用可能であれば、ＭＩＭＯ検出器３３６によって検出され、受信プロセッサ３３８によってさらに処理され、ＵＥ１２０によって送られた制御情報および復号されたデータを取得する。プロセッサ３３８は、復号されたデータをデータシンク３３９に提供し、復号された制御情報をコントローラ／プロセッサ３４０に提供する。
【００４７】
コントローラ／プロセッサ３４０、３８０は、基地局１１０およびＵＥ１２０のそれぞれにおける動作を指示する。プロセッサ３８０および／あるいはＵＥ１２０におけるその他のプロセッサおよびモジュールはまた、本明細書において説明される技術のための処理を遂行あるいは指示する。メモリ３４２、３８２は、基地局１１０およびＵＥ１２０のそれぞれのためのデータおよびプログラムコードを記憶する。スケジューラ３４４はダウンリンクおよび／あるいはアップリンクでのデータ伝送のためにＵＥをスケジューリングする。
【００４８】
リソース分割例
本開示の特定の態様によると、ネットワークが強化型干渉調整をサポートする場合に、複数の基地局は、干渉セルがそのリソースの一部を手放すこと（give up）により干渉を低減／除去するために、互いにネゴシエートしてリソースを調整しうる。干渉調整にしたがって、ＵＥは、干渉セルによって譲歩または譲られた（yield）リソースを使用することによって、深刻な干渉を伴うサービングセルにもアクセスすることができる。
【００４９】
例えば、オープンマクロセルのカバレッジエリアにおける限定（closed）アクセスモード（すなわち、ここにおいてはメンバフェムトＵＥのみがセルにアクセスできる）を伴うフェムトセルは、リソースを譲歩し、干渉を効率的に除去することによってマクロセルのための「カバレッジホール」を作成することができる。リソースを譲歩するようフェムトセルに対して交渉することによって、フェムトセルのカバレッジエリア下にあるマクロＵＥは依然として、それらの譲歩されたリソースを使用してサービングマクロセルにアクセスすることができる。
【００５０】
Ｅ−ＵＴＲＡＮのようなＯＦＤＭを使用するラジオアクセスシステムにおいて、譲歩されるリソースは、時間ベース、周波数ベース、またはそれらの組み合わせである。調整されたリソース分割が時間ベースである場合、干渉セルは単に、時間領域におけるサブフレームのいくつかを使用しない。調整されたリソース分割が周波数ベースである場合、干渉セルは周波数領域におけるサブキャリアを譲歩する。周波数と時間との組み合わせの場合、干渉セルは周波数および時間リソースを譲歩する。
【００５１】
強化型セル間干渉調整（ｅＩＣＩＣ：enhance inter-cell interference coordination）によって、ｅＣＩＣＩをサポートするマクロＵＥ１２０ｙ（例えば、図４に示されるＲｅｌ−１０マクロＵＥ）が、途切れていないラジオリンク４０２によって例示されるように、マクロＵＥ１２０ｙがフェムトセル１１０ｙからの深刻な干渉を経験している場合でさえも、マクロセル１１０ｃにアクセスすることができるようになる実例的なシナリオを、図４は例示する。レガシマクロＵＥ１２０ｕ（例えば、図４に示されるＲｅｌ−８マクロＵＥ）は、途切れたラジオリンク４０４によって例示されるように、フェムトセル１１０ｙからの深刻な干渉下でマクロセル１１０ｃにアクセスすることができない。フェムトＵＥ１２０ｖ（例えば、図４に図示されるＲｅｌ−８フェムトＵＥ）は、マクロセル１１０ｃからの干渉問題を伴うことなく、フェムトセル１１０ｙにアクセスする。
【００５２】
特定の態様によると、ネットワークはｅＩＣＩＣをサポートし、ここでは、分割情報の異なるセットが存在しうる。これらのうちの第１のものは、半静的リソース分割情報（ＳＲＰＩ：Semi-static Resource Partitioning Information）と呼ばれる。これらのセットのうちの第２のものは、適応リソース分割情報（ＡＲＰＩ：Adaptive Resource Partitiong Inforamtion）と呼ばれる。その名前が暗に示すように、ＳＲＰＩは通常、頻繁に変化することはなく、ＳＲＰＩは、ＵＥがそのＵＥ自らの動作のためにリソース分割情報を使用できるように、そのＵＥに送られる。
【００５３】
実例として、リソース分割は、８ｍｓ周期性（８サブフレーム）あるいは４０ｍｓ周期性（４０サブフレーム）で実施される。特定の態様によると、周波数分割複信（ＦＤＤ）はまた、周波数リソースも分割されるように適用されると仮定される。（例えば、セルノードＢからＵＥへの）ダウンリンクでは、分割パターンは、既知のサブフレーム（例えば、整数Ｎの倍数であるＳＦＮ値を有する各ラジオフレームの第１のサブフレーム）にマッピングされる。このようなマッピングは、特定のサブフレームのためのリソース分割情報を決定するために適用される。実例として、ダウンリンクのための（例えば、干渉セルによって譲歩された）調整されたリソース分割の影響を受けやすい（is subect to）サブフレームは、インデックスによって識別されうる。  
インデックスＳＲＰＩ ＤＬ＝（ＳＦＮ＊１０＋サブフレームナンバ）ｍｏｄ８
アップリンクでは、ＳＲＰＩマッピングは、例えば、４ｍｓだけシフトされうる。このように、アップリンクのための実例は、  
インデックスＳＲＰＩ ＵＬ＝（ＳＦＮ＊１０＋サブフレームナンバ＋４）ｍｏｄ８
ＳＲＰＩは各エントリのために以下の３つの値を使用しうる。  
・Ｕ（使用）：この値は、このセルによって使用されるべきサブフレームが支配的干渉から除去（cleaned up)されていることを示す（すなわち、主要な干渉セルはこのサブフレームを使用しない）。  
・Ｎ（不使用）：この値は、サブフレームが使用すべきでないことを示す。  
・Ｘ（不明）：この値は、サブフレームが静的に分割されていないことを示す。基地局間のリソース使用のネゴシエーションの詳細はＵＥに対して知られていない。
【００５４】
ＳＲＰＩのためのパラメータの可能性のある別のセットが以下に示されうる。  
・Ｕ（使用）：この値は、このセルによって使用されるべきサブフレームが支配的干渉から除去されていることを示す（すなわち、主要な干渉セルはこのサブフレームを使用しない）。  
・Ｎ（不使用）：この値は、サブフレームが使用すべきでないことを示す。  
・Ｘ（不明）：この値は、サブフレームが静的に分割されていないことを示す。基地局間のリソース使用のネゴシエーションの詳細はＵＥに対して知られていない。  
・Ｃ（共通）：この値は、全てのセルがリソース分割なしでこのサブフレームを使用しうることを示しうる。このサブフレームは干渉を受けやすい。そのために、基地局は、大きな干渉下にはないＵＥのためにだけ、それを使用することを選択しうる。
【００５５】
サービングセルのＳＲＰＩは無線で（over the air）でブロードキャストされうる。Ｅ−ＵＴＲＡＮにおいて、サービングセルのＳＲＰＩは、１つのＭＩＢあるいは、複数のＳＩＢのうちの１つにおいて送られる。予め定義されたＳＲＰＩは、例えば、マクロセル、ピコセル（すなわち、オープンアクセスを有する）、およびフェムトセル（すなわち、限定アクセスを有する）のような、セルの特性に基づいて定義される。このようなケースにおいて、システムオーバヘッドメッセージにおけるＳＲＰＩの符号化は、より効率的な無線でのブロードキャストをもたらす。
【００５６】
基地局はまた、ＳＩＢのうちの１つにおいて近隣のセルのＳＲＰＩをブロードキャストする。これに関して、ＳＲＰＩは、物理セルＩＤの対応する範囲で送られる。
【００５７】
ＡＲＰＩは、ＳＲＰＩにおける「Ｘ」サブフレームのための詳細な情報を伴う更なるリソース分割情報を示す。上述されたように、「Ｘ」サブフレームのための詳細な情報は一般的に、基地局に対してのみ知られており、ＵＥはそれを知らない。例えば、「Ｘ」サブフレームは、ＡＵ（Ｕと同じ意味）、ＡＮ（Ｎと同じ意味）、あるいはＡＣとして適応的に割り当てられ、これらは、犠牲側（victim)と干渉側（aggressor）の両方が送信することを許可された共通サブフレームである。
【００５８】
図５および図６は、マクロセルおよびフェムトセルを伴うシナリオにおけるＳＲＰＩ割当の実例を例示する。ここにおいて、リソース分割は、８ｍｓ周期性で実施される。上述されたように、セルは、干渉を低減／除去するために、互いにネゴシエートしてリソースを調整する。例えば、図５に例示されるように、ラジオフレームのサブフレームは、調整されたリソース分割の影響を受けやすい可能性がある。ここにおいて、フェムトセルはリソースを譲歩し（Ｎサブフレーム５０４）、フェムトセルカバレッジ下のマクロＵＥがマクロセルにアクセスできるようにしうる（Ｕサブフレーム５０２）。図６は、ダウンリンクでは、分割パターンが各ラジオフレームのサブフレーム６０２にマッピングされることを例示する。アップリンクでは、ＳＲＰＩマッピングは４ｍｓ（すなわち、４個のサブフレーム）だけシフトされる。ここにおいて、フェムトセルはリソース（Ｎサブフレーム６０６）を譲歩し、フェムトセルカバレッジ下のマクロＵＥがマクロセルにアクセスできるようにしうる（Ｕサブフレーム６０４）。
【００５９】
異種ネットワークにおける半持続性スケジューリング許可  
時分割多重化（ＴＤＭ）分割は、同一チャネル展開において異種ネットワーク（ＨｅｔＮｅｔ）セル間干渉協調（ＩＣＩＣ）に対するものと見なされるＩＣＩＣメカニズムの１つである。上述されたように、例えば、発展型ノードＢ（ｅＮＢ）に予め割り付けられるサブフレームにおいて、近隣ｅＮＢは送信しない可能性があり、したがって、サービスされるユーザ機器（ＵＥ）によって経験される干渉が低減されうる。トラフィックのためのＴＤＭリソースはｅＮＢ間でネゴシエートされ、それと同時に、制御手順のための最小セットを可能にする。
【００６０】
半持続性スケジューリング（ＳＰＳ）に関して、リソースは、より上位のネットワークレイヤによって半静的に構成され、１０、２０、３２、４０、６４、８０、１２８、１６０、３２０、あるいは６４０ｍｓの周期性を有しうる。ここで、１０、２０ｍｓは、ＴＤＭの８ｍｓ周期性には適合しない。したがって、ＵＥは、割り当てられたＴＤＭスケジュールに起因して、ＵＥによって使用可能ではなかったサブフレーム（例えば、ＸあるいはＹサブフレーム）に対してスケジューリングされたＳＰＳ機会をミスしうる。このように、ＴＤＭ分割を伴う異種ネットワークにおいて、（例えば、遅延に敏感なトラフィックのために）小さい周期性を持つＳＰＳ許可を使用することは、適切な変更を要求しうる。
【００６１】
いくつかの実施形態では、ＳＰＳ許可メッセージは、ＵＥによって使用可能なＲＰＩによって示されるサブフレームの周期性の整数倍（例えば、８ｍｓおよび１６ｍｓ）である周期性を有する新たな構成で定義される。したがって、各ＳＰＳ機会は、ＲＰＩによって示されるように、使用可能なサブフレームにスケジューリングされうる。
【００６２】
図７は、本開示の特定の態様にしたがって、異種ネットワークにおいて、スケジューリングされた伝送を交換するための動作７００を例示する。動作７００は、例えば、ＳＰＳ許可メッセージを送るためのサービングノードＢによって実行されうる。
【００６３】
７０２において、サービングノードＢは、第１の周期性を有するリソース分割情報（ＲＰＩ）を決定する。ＲＰＩは、サービングノードＢと１又は複数の非サービングノードＢとの間のリソースの協調分割にしたがって保護され、使用可能であるサブフレーム（例えば、Ｕサブフレーム）であるサブフレームを識別する情報を含む。ＲＰＩはさらに、使用可能でないサブフレーム（例えば、Ｎサブフレーム）と、使用可能であるが、保護されていないサブフレーム（例えば、Ｘサブフレーム）とを識別する情報を含む。
【００６４】
７０３において、サービングノードＢは、ＵＥにＲＰＩを送る。
【００６５】
７０４において、サービングノードＢは、ＲＰＩに少なくとも部分的に基づいて、第２の周期性を有するＳＰＳ許可メッセージを決定する。
【００６６】
７０５において、サービングノードＢは、スケジューリングされた伝送のための１又は複数のサブフレームを識別するＳＰＳ許可メッセージを送る。
【００６７】
７０６において、サービングノードＢは、ＳＰＳ許可メッセージにしたがって、スケジューリングされた伝送をＵＥと交換する。
【００６８】
図７Ａは、図７に例示される動作７００にしたがう手段７００Ａを例示する。サービングノードＢのＲＰＩモジュール７０２Ａは、第１の周期性を有するＲＰＩを決定する（ステップ７０２）。サービングノードＢは、送信機／受信機モジュール７０３ＡによってＲＰＩをＵＥ７０１Ａに送る（ステップ７０３）。サービングノードＢのＳＰＳモジュール７０４Ａは、ＲＰＩに少なくとも部分的に基づいて、第２の周期性を有するＳＰＳ許可メッセージを決定する（ステップ７０４)。サービングノードＢは、送信機／受信機モジュール７０３ＡによってＳＰＳ許可メッセージをＵＥ７０１Ａに送る（ステップ７０５）。サービングノードＢはその後、ＳＰＳ許可メッセージにしたがって、スケジューリングされた伝送をＵＥ７０１Ａと交換する（７０６）。
【００６９】
図７Ｂは、下記に説明される実施形態を例示する手段７００Ｂを例示する。ここにおいて、ＲＰＩモジュール７０２Ａは、ＲＰＩに基づいてＳＰＳ許可メッセージを決定するのではなく、現在のＳＰＳ許可に少なくとも部分的に基づいてＲＰＩを決定する。
【００７０】
図８は、本開示の特定の態様にしたがって、異種ネットワークにおいて、スケジューリングされた伝送を交換するための動作８００を例示する。動作８００は、例えば、ＳＰＳ許可メッセージを受信するためのＵＥによって実行される。
【００７１】
８０１において、ＵＥは、サービングノードＢと１又は複数の非サービングノードＢとの間のリソースの協調分割に起因して保護され、ＵＥによって使用可能であるサブフレームを識別する情報を含むＲＰＩを受信する。
【００７２】
８０２において、ＵＥは、スケジューリングされた伝送のために１又は複数のサブフレームを識別するＳＰＳ許可メッセージを受信する。ここにおいて、第１の周期性を有するＳＰＳ許可メッセージは、第２の周期性を有するＲＰＩに少なくとも部分的に基づいて決定される。
【００７３】
８０３において、ＵＥは、ＳＰＳ許可メッセージにしたがって、サービングノードＢに対する伝送をスケジューリングする。
【００７４】
８０４において、ＵＥは、伝送が使用可能なサブフレームに位置している（fall on）かどうかを判定する。
【００７５】
８０６において、伝送が使用可能なサブフレームに位置している場合、ＵＥはスケジューリングされた伝送を、サービングノードＢと交換する。
【００７６】
８０５において、伝送が使用可能なサブフレームに位置していない場合、本明細書においてさらに説明されるように、ＵＥはＲＰＩに基づいて伝送を再スケジューリングする。
【００７７】
図８Ａは、図８に例示される動作８００にしたがう手段８００Ａを例示する。ＵＥの送信機／受信機モジュール８０１Ａは、サービングノードＢからＲＰＩおよびＳＰＳ許可メッセージを受信する（ステップ８０１、８０２）。ＲＰＩは、ＳＰＳ許可メッセージに少なくとも部分的に基づいて決定される、あるいは、逆の場合もまた同様である。ＵＥスケジューラ８０３Ａは、ＳＰＳ許可メッセージにしたがって、サービングノードＢに対する伝送８０４Ａをスケジューリングする（ステップ８０３）。スケジューリングされた伝送が使用可能なサブフレームに当たる（fall on）場合、ＵＥスケジューラは、送信機／受信機モジュール８０１Ａによって、スケジューリングされた伝送をサービングノードＢと交換する（ステップ８０６）。しかしながら、スケジューリングされた伝送が使用可能なサブフレームに位置していない場合、ＵＳスケジューラ８０３Ａは、ＲＰＩに基づいて伝送を再スケジューリングする（ステップ８０５）。
【００７８】
いくつかの実施形態では、ＳＲＰＩによって保護されていないサブフレーム（例えば、Ｘサブフレームおよび／あるいはＮサブフレーム）に対してスケジューリングされたＳＰＳ機会はスキップされる。ＴＤＭ分割とＳＰＳ機会との間の不適合な周期性に起因して、ＳＰＳ機会でスケジューリングされるいくつかのサブフレームは保護され、その他いくつかのサブフレームは保護されないことがある。ｅＮＢおよびＵＥは、Ｕサブフレームのみが使用される（すなわち、ＳＲＰＩによって保護される）ことを認める。それによって、ＳＰＳ機会に属するサブフレームが非Ｕサブフレームにある場合に、当該非Ｕサブフレームが使用されないことがある。これは、ＤＬ ＳＰＳおよびＵＬ ＳＰＳの両方に当てはまる。
【００７９】
ＵＬ ＳＰＳにおいて、保護されていないために、伝送のために使用されないサブフレームは、黙示的なリリースのために、「空伝送」としてカウントされない。しかしながら、ミスされたＵＬ ＳＰＳ機会がＵサブフレームのためにスケジューリングされた場合、ミスされた機会は、空伝送としてカウントされる。特定の数の空伝送の後、ＳＰＳ機会はリリースされる。
【００８０】
図９は、本開示の特定の態様にしたがって、サービングノードＢとＵＥとの間の伝送をスケジューリングするために、ＲＰＩに少なくとも部分的に基づいて決定される１又は複数のサブフレームに対してスケジューリングされるＳＰＳ機会の実例を例示する。ＳＰＳ許可メッセージは、Ｕサブフレーム９０２において、ＵＥにおいて受信される。Ｕサブフレームのみが、サービングノードＢと１又は複数の非サービングノードＢとの間のリソースの協調分割に起因して保護され、ＵＥによって使用可能であるということを、サービングノードＢおよびＵＥは認めている。したがって、ＳＰＳ機会に属するＮサブフレーム９０４は使用されないが、後続のＵサブフレーム９０６は使用される。
【００８１】
いくつかの実施形態において、ＵＥは、ＸサブフレームにおいてＰＳＣＣＨ ＳＰＳアクティベーション許可を受信する場合、Ｘサブフレームに対してスケジューリングされたＳＰＳ機会が（例えば、ＡＵあるいはＡＣサブフレームにおいて）動的に使用可能であると仮定する。言い換えると、サービングｅＮＢは、Ｘサブフレームと、（すなわち、ＲＰＩによって示されるような）Ｘサブフレームの周期的繰り返しとを動的に使用可能であることを保証にする。ＵＥは、基地局間のリソース使用ネゴシエーション（例えば、適応分割）に起因して、Ｘサブフレームのための詳細な情報を知らない可能性があるが、ＵＥは、Ｎとマークされた保護されていないサブフレームを除いて、保護されていないサブフレームをスキップしないことを決定する。いくつかの実施形態において、ＳＰＳ機会に関連付けられたサブフレームが（例えば、これがＮサブフレームであるために）スキップされる場合、ＵＥは次のＵあるいはＡＵ／ＡＣサブフレームを使用する。ＡＵ／ＡＣサブフレームは、ＰＤＣＣＨ ＳＰＳアクティベーション許可が非Ｕサブフレームにおいて受信されなかった場合にのみ知られる。ここにおいて、ＵＥは、インタレース内のこの特定のサブフレームがＡＵあるいはＡＣでなければならない（must）ことを知っている。それに加えて、ＵＥは、現在のＳＰＳ許可の存続期間の間、適応分割が変化しないと仮定する（すなわち、ｅＮＢは、分割が変化する場合、ＳＰＳ許可が無効になりうることを保証する）。ミスされたＵＬ ＳＰＳ機会がＵあるいはＸサブフレームのためにスケジューリングされた場合、そのミスされた機会は、空伝送としてカウントされる。
【００８２】
図１０は、本開示の特定の態様にしたがって、Ｘサブフレーム１００２において受信されるＰＤＣＣＨ ＳＰＳアクティベーション許可に少なくとも部分的に基づいて決定される１又は複数のサブフレームに対してスケジューリングされるＳＰＳ機会の実例を例示する。ＵＥは、Ｘサブフレームに対してスケジューリングされたＳＰＳ機会が、動的に使用可能であり、Ｎとマークされた保護されていないサブフレームを除いて、保護されていないサブフレームをスキップしないことを決定する。したがって、ＳＰＳ機会に属するＮサブフレーム１００４は使用されない。しかしながら、ＵＥは、次のＸサブフレーム１００６（例えば、ＡＵ／ＡＣサブフレーム）を使用する。ここにおいて、ＵＥは、インタレース内のこの特定のサブフレームがＡＵあるいはＡＣでなければならないということを知っている。
【００８３】
いくつかの実施形態では、ｅＮＢは、ＵＥによって使用されうるオフセットをＵＥに対して提供して、サブフレームがスキップされる場合に、ＳＰＳ機会に属するどのバックアップフレームが、使用されるかどうかを決定する（ＤＬおよびＵＬ ＳＰＳの両方に適用可能）。オフセットは、ＳＰＳ許可メッセージを搬送するダウンリンク制御情報に含まれるか、上位レイヤから取得される。オフセットは、ＳＰＳ構成ラジオリソース制御（ＲＲＣ）パラメータにおける新たな情報要素（ＩＥ）として提供されるか、ＰＤＣＣＨアクティベーション許可へとシグナリングされる。例えば、ダウンリンク制御情報（ＤＣＩ）フォーマット０における巡回シフト復調基準信号ＤＭ−ＲＳ(demodulation reference signal）フィールドは、ＳＰＳアクティベーション許可において０００（３ビット）と想定される。いくつかの実施形態では、ＳＰＳアクティベーション許可がＲｅｌ−１０ ＵＥにシグナリングされる場合、３ビットがオフセットを符号化するために使用される。しかしながら、Ｒｅｌ−８ ＵＥは、許可を有効にするために、このフィールドが０００であることを要求する。
【００８４】
同様に、ＤＣＩフォーマット１／１Ａおよび２／２Ａ／２ＢにおけるＨＡＲＱ処理ナンバは、ＳＰＳアクティベーション許可において０００であると想定される。これらの３ビット（ＴＤＤにおいては４ビット）は、ＳＰＳアクティベーションがＲｅｌ−１０ ＵＥにシグナリングされる場合に、オフセットに置き換えられる。図１１に関して、サブフレームｎ １１０２は、ＳＰＳ許可に属するが、Ｕサブフレームではない（すなわち、図１１に示されるようにＮサブフレームである）とすると、このサブフレーム１１０２はスキップされ、サブフレームｎ＋ｍ１１０４がサブフレームｎ １１０２の代わりに使用される。ここで、ｍは上記で特定されたオフセットである（すなわち、図１１に示されるように、ｍ＝４）。代替的に、図１２を参照すると、オフセットは、直近のＵサブフレーム１１０７（すなわち、サブフレームｐ）に関する置換を示す。すなわち、サブフレームｎ １１０６がスキップされる場合、サブフレームｐ＋ｍ１１０８が使用される。ここで、ｐはｎ以下となるような最大整数であり、ｐ ｍｏｄ ８はＵサブフレームを表しうる（すなわち、図１２に示されるように、ｍ＝８）。
【００８５】
いくつかの実施形態において、ＳＲＰＩによって保護されていないサブフレーム（例えば、Ｘサブフレームおよび／またはＮサブフレーム）に対してスケジューリングされるＳＰＳ機会をスキップする代わりに、予約された（reserved）サブフレーム（すなわち、Ｎサブフレームのような、伝送が許可されていないもの）のみがスキップされる。言い換えると、ＳＰＳ機会に属するサブフレームが、（ＳＲＰＩによって保護された）ＵサブフレームあるいはＸ（不明）サブフレームのいずれかにある場合、これは伝送のために使用されうる。ｅＮＢは、ＳＰＳアクティベーションのために使用されるＳＰＳ期間およびサブフレームを適切に構成することによって、ＳＰＳ機会がＵおよびＸ（例えば、ＡＵ／ＡＣ）サブフレームに対してスケジューリングされることを保証し、これにより、ＳＰＳ機会がＡＮあるいはＮサブフレームにあることない。ミスされたＵＬ ＳＰＳ機会がＵあるいはＸサブフレームのためにスケジューリングされた場合、ミスされた機会は空伝送としてカウントされる。特定の数の空伝送の後、ＳＰＳ機会はリリースされる。
【００８６】
異なるタイプのサブフレーム（例えば、保護されているサブフレームｖｓ保護されていないサブフレーム）は、全く異なる品質を有しうる。従来、ＳＰＳ許可は単一リソース割り付けおよび単一変調および符号化スキーム（ＭＣＳ）を提供する。異なる品質のサブフレームに同じＭＣＳが使用されることよって、性能が低減される。いくつかの実施形態において、ＳＰＳ許可は、クリーンＭＣＳおよび非クリーンＭＣＳと表される２つのＭＣＳを提供する。第２のＭＣＳを示すインジケーションは、第１のＭＣＳを示すインジケーションからのオフセットである。クリーンＭＣＳが、保護されているサブフレーム（例えば、Ｕ／ＡＵサブフレーム）に使用されるのに対して、非クリーンＭＣＳは、伝送のために使用されるその他任意のサブフレーム（例えば、ＡＣサブフレーム）に使用される。
【００８７】
さらに、異なる周波数リソースが、１つは保護されているサブフレームに対して、１つは保護されていないサブフレームに対して、同様に割り当てられうる。保護されているサブフレームと、保護されていないサブフレームとに対して、異なる量のリソースブロック（ＲＢ）が望ましい。保護されていないサブフレームに対し、異なる電力クラスの複数のｅＮＢ間の周波数リソース分割が存在しうる。
【００８８】
いくつかの実施形態では、ＰＤＳＣＨにおけるＳＰＳ ＤＬあるいはＵＬ許可における情報（すなわち、ＭＣＳと、おそらくはリソース割付）を２重にすること（doubling）が、例えば、予め定義されたウィンドウ内の同じサブフレームあるいは連続するサブフレームにおいて、２つのＳＰＳセルラジオネットワーク一時的識別子（Ｃ−ＲＮＴＩ：cell radio network temporary identifier）アイデンティティを用いて２つの異なるＰＤＣＣＨを送ることによって実行される。代替的に、ＤＣＩペイロードは、追加的なフィールドを考慮して（to account for)増大される。いくつかの実施形態では、非クリーンチャネル品質インジケータ（ＱＣＩ）はデルタを差し引いたクリーンＣＱＩに等しい。ここで、デルタは（例えば、ＳＰＳ構成のためのＲＲＣメッセージにおいて）上位レイヤシグナリングによってＵＥに提供される。
【００８９】
いくつかの実施形態では、クリーンおよび非クリーンＭＣＳではなく、同じＭＣＳが使用されうるが、異なる電力制御セットポイントで使用される。少なくとも１つの電力制御セットポイントは、上位レイヤによって、あるいは、ＳＰＳ許可メッセージにおいて提供される。本明細書において、ＲＲＣパラメータｐ０−ＵＥ−ＰＵＳＣＨ持続性は、ＳＰＳのためのＵＬ電力制御を定義する。ＳＰＳのための２つのＵＬ電力制御パラメータは、サブフレームタイプに依存して、Ｒｅｌ−１０ ＵＥによって使用される。Ｒｅｌ−８ ＵＥは常に、既存のパラメータのみを使用するが、Ｒｅｌ−１０ ＵＥは、両方ともを解釈し（interpret）、そのゆえにそれらを使用する。既存のパラメータは平均電力を表し、追加的なパラメータはデルタを含む。
【００９０】
いくつかの実施形態では、前述されたようにＲＰＩに基づいてＳＰＳ許可メッセージを決定するのではなく、図７Ｂに例示されるように、現在のＳＰＳ許可に少なくとも部分的に基づいて、ＲＰＩが決定される。周期的に、あるいは特定の何らかのイベント（例えば、負荷条件における変更）にトリガされて、（例えば、干渉側ｅＮＢが使用できないリソースを増大させ、その結果として、被害側ｅＮＢのための保護されたリソースを増大させることとによって）１又は複数のｅＮＢのためのリソース分割ベクトルを更新する最適化アルゴリズムが実行される。複数のｅＮＢ間で交換されるサブフレームは、サービングｅＮＢと、１又は複数の非サービングｅＮＢと、のうちの少なくとも１つについての現在のＳＰＳ許可によって決定される。現在のＳＰＳ許可は、また、リソースを交換するかどうかについての決定に影響を与える。
【００９１】
したがって、ＳＰＳ機会は、ＵおよびＸ（ＡＵ／ＡＣ）サブフレームにスケジューリングされる。例えば、２０ｍｓ ＳＰＳ割付が考慮される。ここにおいて、ｅＮＢは、保護されているサブフレーム（サブフレームｎ）においてＰＤＣＣＨアクティベーション許可を提供する。サブフレームｎ＋４０、ｎ＋８０などにおける伝送機会は、Ｕサブフレームのような、保護されているサブフレームに置かれる（すなわち、８ｍｓのインタレース周期性の倍数である）。サブフレームｎ＋２０、ｎ＋６０などにおける伝送機会は、適応的に割り当てられたサブフレーム内に置かれる（すなわち、２０ｍｓ ＳＰＳ期間の倍数である）。言い換えると、複数のｅＮＢ間の適応サブフレームのネゴシエーションが実行されると、マクロｅＮＢはサブフレームｎ＋２０、ｎ＋６０などをＡＵあるいはＡＣとして割り付けようと試みる。このようにして、２０ｍｓ期間を用いたＳＰＳ割付は完璧に動作し、ＵおよびＸ（ＡＵ／ＡＣ）サブフレームは使用可能である。いくつかの実施形態では、ＲＰＩは、現在のＳＰＳ許可に少なくとも部分的に基づいて、前のＲＰＩと同じままとなる。フェムトｅＮＢは、ＳＰＳが、主に、いくつかの接続されたＵＥが同時に存在するマクロｅＮＢのために有用であることから、これを達成することを望まないことがある。例えば、１０ｍｓ ＳＰＳ期間について、同様の適応割付がデザインできる。
【００９２】
情報および信号が、多様な異なる技術および技法のうちの任意のものを使用して表されうるということを、当業者は理解するだろう。例えば、上記の説明を通して参照されうるデータ、命令群、コマンド、情報、信号、ビット、シンボル、およびチップは、電圧、電流、電磁波、磁界あるいは磁気粒子、光学界または光学粒子、あるいはそれら任意の組み合わせによって表わされうる。
【００９３】
当業者はさらに、本明細書における開示に関連して説明された様々な例示的な論理ブロック、モジュール、回路、およびアルゴリズムステップは、電子的ハードウェア、コンピュータソフトウェア、あるいはそれら両方の組合せとして実施されうるということを理解するだろう。ハードウェアおよびソフトウェアの互換性を明確に例示するために、多様な例示的なコンポーネント、ブロック、モジュール、回路、およびステップが、一般にそれらの機能の観点から上記で説明されている。このような機能がハードウェアあるいはソフトウェアのどちらとして実現されるかは、システム全体に課せられている特定のアプリケーションおよび設計の制約に依存する。当業者は、各特定のアプリケーションのために方式を変化させて、説明された機能性を実施しうるが、こういった実施の決定は本開示の範囲からの逸脱をまねくものと解釈されるべきではない。
【００９４】
本明細書における開示に関連付けて説明された多様な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいはその他のプログラマブル論理デバイス、離散ゲートもしくはトランジスタ論理、離散ハードウェアコンポーネント、あるいは本明細書において説明された機能を実行するために設計された、それら任意の組合せで実施あるいは実行されうる。汎用プロセッサはマイクロプロセッサでありうるが、代替例として、このプロセッサは、任意の従来型のプロセッサ、コントローラ、マイクロコントローラ、あるいはステートマシンでありうる。プロセッサはまた、例えば、ＤＳＰとマイクロプロセッサの組み合わせ、複数のマイクロプロセッサ、ＤＳＰコアと連結した１又は複数のマイクロプロセッサ、もしくはその他任意のこのような構成のような、コンピューティングデバイスの組み合わせとして実現されうる。
【００９５】
本明細書における開示に関連付けて説明される方法あるいはアルゴリズムのステップは、直接ハードウェアにおいてか、プロセッサによって実行されるソフトウェアモジュールにおいてか、あるいはそれら２つの組み合わせにおいて実現されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野において周知のその他任意の形態の記憶媒体内に存在しうる。典型的な記憶媒体は、プロセッサが記憶媒体からの情報を読み取り、記憶媒体に情報を書き込むことができるように、このプロセッサに結合される。代替例においては、記憶媒体はプロセッサに統合されうる。プロセッサ及び記憶媒体はＡＳＩＣ内に存在しうる。ＡＳＩＣはユーザ端末内に存在しうる。代替例においては、プロセッサおよび記憶媒体は離散的なコンポーネントとしてユーザ端末内に存在しうる。
【００９６】
１又は複数の典型的な設計において、説明される機能は、ハードウェア、ソフトウェア、ファームウェア、あるいはそれら任意の組み合わせにおいて実現されうる。ソフトウェアにおいて実現される場合、機能は、１又は複数の命令群あるいはコードとして、コンピュータ可読媒体に記憶されうる、もしくはそれによって送信されうる。コンピュータ可読媒体は、ある場所から別の場所へのコンピュータプログラムの伝達を容易にする任意の媒体を含む通信媒体とコンピュータ記憶媒体との両方ともを含む。記憶媒体は、汎用コンピュータあるいは特殊用途コンピュータによってアクセスされうる任意の利用可能な媒体でありうる。限定ではなく、実例として、このようなコンピュータ可読媒体は、ＲＡＭ、ＲＯＭ、ＥＥＰＲＯＭ、ＣＤ−ＲＯＭ、あるいはその他の光学ディスク記憶装置、磁気ディスク記憶装置、あるいはその他の磁気記憶デバイス、あるいは、命令群あるいはデータ構造の形態で望ましいプログラムコード手段を搬送あるいは記憶するために使用されることができ、かつ、汎用又は特殊用途コンピュータ、あるいは汎用又は特殊用途プロセッサによってアクセスすることができるその他任意の媒体を備えうる。更に、任意のコネクションが、コンピュータ可読媒体と適切に称される。例えば、同軸ケーブルや、光ファイバケーブルや、ツイストペアや、デジタル加入者回線（ＤＳＬ）や、あるいは、赤外線、ラジオ、及びマイクロ波のような無線技術を使用して、ウェブサイト、サーバ、あるいはその他の遠隔ソースからソフトウェアが送信される場合、同軸ケーブルや、光ファイバケーブルや、ツイストペアや、ＤＳＬや、あるいは赤外線、ラジオ、及びマイクロ波のような無線技術は、媒体の定義に含まれる。本明細書で使用されるようなディスク（disk）及びディスク（disc）は、コンパクトディスク（ＣＤ）（disc）、レーザディスク（disc）、光学ディスク(disc)、デジタルバーサタイルディスク（ＤＶＤ）（disk）、フロッピー（登録商標）ディスク（disk）及びブルーレイ（登録商標）ディスク（disc）を含む。ここで、ディスク（disk）は通常、データを磁気的に再生する一方、ディスク（disc）はレーザを用いてデータを光学的に再生する。上記のものによる組合せも、コンピュータ可読媒体の範囲内に含まれるべきである。
【００９７】
本開示の以上の説明は、当業者が本開示を製造あるいは使用できるように提供される。本開示に対する様々な変形例が当業者に対して容易に明らかになるだろう。また、本明細書で定義された一般的原理は、本開示の精神あるいは範囲から逸脱することなくその他のバリエーションに適用されうる。よって、本開示は、本明細書において説明される実例および設計に限定されるように意図されたものではなく、本明細書において開示された原理および新規の特徴と矛盾しない最大範囲であると認められるべきである。
【図１】
0005551305.tif 000002
【図２】
0005551305.tif 000003
【図２Ａ】
0005551305.tif 000004
【図３】
0005551305.tif 000005
【図４】
0005551305.tif 000006
【図５】
0005551305.tif 000007
【図６】
0005551305.tif 000008
【図７】
0005551305.tif 000009
【図７Ａ】
0005551305.tif 000010
【図７Ｂ】
0005551305.tif 000011
【図８】
0005551305.tif 000012
【図８Ａ】
0005551305.tif 000013
【図９】
0005551305.tif 000014
【図１０】
0005551305.tif 000015
【図１１】
0005551305.tif 000016
【図１２】
0005551305.tif 000017